(57)【要約】【課題】本発明は、滑らかさ、しっとり感、柔らかさ、ボリューム感、しっかり感、加工適性がいずれも良好なローションティッシュペーパーを提供することを目的とする。【解決手段】本発明は、薬液の塗布された、２プライのシートからなるローションティッシュペーパーであって、シート１プライあたりの坪量が１０ｇ／ｍ２以上１８ｇ／ｍ２以下、紙厚が０．４０ｍｍ／１０枚以上０．８０ｍｍ／１０枚以下、滑らかさＴＳ７５０が７ｄＢＶ２ｒｍｓ以上１４ｄＢＶ２ｒｍｓ以下、柔らかさＴＳ７が８ｄＢＶ２ｒｍｓ以上１５ｄＢＶ２ｒｍｓ以下、しっかり感Ｄが１．５ｍｍ／Ｎ以上４．５ｍｍ／Ｎ以下である、ローションティッシュペーパーである。【選択図】なし【特許請求の範囲】
【請求項１】
薬液の塗布された、２プライのシートからなるローションティッシュペーパーであって、
シート１プライあたりの坪量が１０ｇ／ｍ２以上１８ｇ／ｍ２以下、
紙厚が０．４０ｍｍ／１０枚以上０．８０ｍｍ／１０枚以下、
滑らかさＴＳ７５０が７ｄＢＶ２ｒｍｓ以上１４ｄＢＶ２ｒｍｓ以下、
柔らかさＴＳ７が８ｄＢＶ２ｒｍｓ以上１５ｄＢＶ２ｒｍｓ以下、
しっかり感Ｄが１．５ｍｍ／Ｎ以上４．５ｍｍ／Ｎ以下である、ローションティッシュペーパー。
【請求項２】
ローションティッシュペーパー中の油性成分の含有量が、０．０３質量％以上０．５０質量％以下である、請求項１に記載のローションティッシュペーパー。
【請求項３】
前記油性成分が、シリコーン油及び／又はシアバターである、請求項２に記載のローションティッシュペーパー。
【請求項４】
薬剤含有量が５質量％以上２０質量％以下である、請求項１から３のいずれかに記載のローションティッシュペーパー。
【発明の詳細な説明】
【技術分野】
【０００１】
本発明は、薬液の塗布された、２プライのシートからなるローションティッシュペーパーに関する。
【背景技術】
【０００２】
従来、フェイシャルティッシュペーパーには、触感の滑らかさ、しっとり感、柔らかさ、ボリューム感が重要であると指摘されていた。滑らかさを有するティッシュペーパー製品を製造するためには、カレンダー処理の強度の強化や、ローション薬液の塗布等の手法が採用されている（例えば、特許文献１及び２参照）。
【０００３】
一般的に、ローション薬液が塗布されたティッシュペーパーは、箱に収納されて、取り出口から引き出して使用される。ローション薬液が塗布されたティッシュペーパーは柔らかいため、取出し口から引き出す際、破れることも多い。また、ティッシュペーパーが柔らかいために、ティッシュカートンから引き出した後、次のティッシュペーパーが箱に沿って倒れてしまい、次のティッシュペーパーを取り出しにくくなる。一方、シートの強度を高くした場合、これらの問題は解決するが、ティッシュペーパーがごわごわした触感になる傾向にある。
【先行技術文献】
【特許文献】
【０００４】
【特許文献１】特開平７−１０９６９３号公報
【特許文献２】特開平９−２９６３８９号公報
【発明の概要】
【発明が解決しようとする課題】
【０００５】
ここで、カレンダー処理の強度を強化した場合、ティッシュペーパー製品の紙厚が薄くなり、ティッシュペーパー製品のボリューム感が劣化することがあった。また、ローション薬液の塗布量を増大させると、ティッシュペーパー製品の紙厚が薄くなり、ボリューム感が劣化するとともに、強度が低くなって、紙のしっかり感が劣化し、カートンからティッシュペーパーを取り出した際、次のティッシュペーパーが取出し口上で倒れやすくなることもある。また、ローション薬液の塗布量を増大させると、ティッシュペーパーの加工工程において、加工適性が低下し、断紙回数が増え、生産性が低下するという問題もあった。したがって、本発明は以上の課題に鑑みてなされたものであり、滑らかさ、しっとり感、柔らかさ、ボリューム感、しっかり感（カートンからティッシュペーパーを取り出した際の、次のティッシュペーパーの立ち具合）、加工適性がいずれも良好なローションティッシュペーパーを提供することを目的とする。
【課題を解決するための手段】
【０００６】
本発明の発明者らは、上記課題に鑑み、鋭意研究を行った。その結果、シート１プライあたりの坪量、紙厚、柔らかさ、滑らかさ、しっかり感を調整した、薬液の塗布された、２プライのシートからなるローションティッシュペーパーによれば、上記課題を解決できることを見出し、本発明を完成するに至った。具体的には、本発明は以下のものを提供する。
【０００７】
（１）本発明の第１の態様は、薬液の塗布された、２プライのシートからなるローションティッシュペーパーであって、シート１プライあたりの坪量が１０ｇ／ｍ２以上１８ｇ／ｍ２以下、紙厚が０．４０ｍｍ／１０枚以上０．８０ｍｍ／１０枚以下、滑らかさＴＳ７５０が７ｄＢＶ２ｒｍｓ以上１４ｄＢＶ２ｒｍｓ以下、柔らかさＴＳ７が８ｄＢＶ２ｒｍｓ以上１５ｄＢＶ２ｒｍｓ以下、しっかり感Ｄが１．５ｍｍ／Ｎ以上４．５ｍｍ／Ｎ以下である、ローションティッシュペーパーである。
【０００８】
（２）本発明の第２の態様は、（１）に記載のローションティッシュペーパーであって、ローションティッシュペーパー中の油性成分の含有量が、０．０３質量％以上０．５０質量％以下であることを特徴とするものである。
【０００９】
（３）本発明の第３の態様は、（２）に記載のローションティッシュペーパーであって、前記油性成分が、シリコーン油及び／又はシアバターであることを特徴とするものである。
【００１０】
（４）本発明の第４の態様は、（１）から（３）のいずれかに記載のローションティッシュペーパーであって、薬剤含有量が５質量％以上２０質量％以下であることを特徴とするものである。
【発明の効果】
【００１１】
本発明によれば、シート１プライあたりの坪量、紙厚、柔らかさ、滑らかさ、しっかり感が調整され、滑らかさ、しっとり感、柔らかさ、ボリューム感、しっかり感、加工適性がいずれも良好なローションティッシュペーパーを提供することができる。
【発明を実施するための形態】
【００１２】
以下、本発明を実施するための形態について、詳細に説明する。
【００１３】
＜ローションティッシュペーパー＞
本発明のローションティッシュペーパーは、２プライのシートからなるものであって、原紙にカレンダー処理がなされ、薬液が塗布されているものである。そして、本発明のローションティッシュペーパーは、シート１プライあたりの坪量、紙厚、柔らかさＴＳ７、滑らかさＴＳ７５０、しっかり感Ｄが調整されている。
【００１４】
［坪量、紙厚］
本発明のローションティッシュペーパーにおける、シート１プライあたりの坪量は、１０ｇ／ｍ２以上１８ｇ／ｍ２以下であり、１１ｇ／ｍ２以上１７ｇ／ｍ２以下であることが好ましく、１２ｇ／ｍ２以上１６ｇ／ｍ２以下であることがより好ましい。また、本発明のローションティッシュペーパーにおける、紙厚は、０．４０ｍｍ／１０枚以上０．８０ｍｍ／１０枚以下であり、０．４５ｍｍ／１０枚以上０．７５ｍｍ／１０枚以下であることが好ましく、０．５０ｍｍ／１０枚以上０．７０ｍｍ／１０枚以下であることがより好ましい。ローションティッシュペーパーのシート１プライあたりの坪量や紙厚を上記の範囲内のものとすることにより、柔らかさとボリューム感とが両立可能なものとなる。なお、上記の坪量及び紙厚は、ローションティッシュペーパー自体のものであって、薬液が塗布された状態のティッシュペーパーについての坪量及び紙厚を意味する。
【００１５】
［ＴＳ７５０、ＴＳ７、Ｄ］
本発明のローションティッシュペーパーは、ティッシュソフトネス測定装置ＴＳＡ（Ｔｉｓｓｕｅ  Ｓｏｆｔｎｅｓｓ  Ａｎａｌｙｚｅｒ）により測定したときに、ＴＳＡ上のソフトウェアにて自動的に取得した、低周波数側からの最初のスペクトルの極大ピークの強度（ＴＳ７５０）が７ｄＢＶ２ｒｍｓ以上１４ｄＢＶ２ｒｍｓであり、８ｄＢＶ２ｒｍｓ以上１３ｄＢＶ２ｒｍｓ以下であることが好ましく、９ｄＢＶ２ｒｍｓ以上１２ｄＢＶ２ｒｍｓ以下であることがより好ましい。このＴＳ７５０は、ローションティッシュペーパーの滑らかさの指標であり、ＴＳ７５０が上記の範囲内のものとなることにより、ローションティッシュペーパーの平滑さがバランスよく維持される。
【００１６】
さらに、本発明のローションティッシュペーパーは、ティッシュソフトネス測定装置ＴＳＡ上のソフトウェアにて自動的に取得した、６５００Ｈｚを含むスペクトルの極大ピークの強度（ＴＳ７）が８ｄＢＶ２ｒｍｓ以上１５ｄＢＶ２ｒｍｓ以下であり、９ｄＢＶ２ｒｍｓ以上１４ｄＢＶ２ｒｍｓ以下であることが好ましく、１０ｄＢＶ２ｒｍｓ以上１３ｄＢＶ２ｒｍｓ以下であることがより好ましい。このＴＳ７は、ローションティッシュペーパーの柔らかさの指標であり、ＴＳ７が上記の範囲内のものとなることにより、ローションティッシュペーパーの柔らかさがバランスよく維持される。
【００１７】
加えて、本発明のローションティッシュペーパーは、ティッシュソフトネス測定装置ＴＳＡにより、試料台に設置したローションティッシュペーパーのサンプルに対し、ブレード付きロータを回転させずに１００ｍＮと６００ｍＮの押し込み圧力でそれぞれ上から押し込んだとき、それぞれ押し込み圧力１００ｍＮと６００ｍＮの間での前記サンプルの上下方向の変形変位量で表される、剛性（Ｄ）の測定値が１．５ｍｍ／Ｎ以上４．５ｍｍ／Ｎ以下であり、２．０ｍｍ／Ｎ以上４．０ｍｍ／Ｎ以下であることが好ましく、２．６ｍｍ／Ｎ以上３．４ｍｍ／Ｎ以下であることがより好ましい。このＤは、ローションティッシュペーパーのしっかり感（カートンからローションティッシュペーパーを取り出した際の、次のローションティッシュペーパーの立ち具合）、しなやかさの指標であり、Ｄが上記の範囲内のものとなることにより、ローションティッシュのしっかり感としなやかさがバランスよく維持される。
【００１８】
なお、ＴＳ７５０、ＴＳ７、及びＤは、ローションティッシュペーパー自体のものであって、薬液が塗布された状態のティッシュペーパーについてのＴＳ７５０、ＴＳ７、及びＤを意味する。
【００１９】
ティッシュソフトネス測定装置ＴＳＡを使用したＴＳ７５０、ＴＳ７、及びＤの測定方法や、これに用いられる測定装置については、例えば、特開２０１３−２３６９０４号公報に詳細に記載されている（図３から図５も参照）。ティッシュソフトネス測定装置ＴＳＡを使用した各種測定方法については、上記の特許文献を参照されたい。
【００２０】
［ＧＭＴ］
本発明のローションティッシュペーパーは、ＪＩＳ  Ｐ  ８１１３に基づく乾燥時の縦方向の引張強さ（引張り速度３００ｍｍ／分で測定）ＤＭＤＴ（Ｄｒｙ  Ｍａｃｈｉｎｅ  Ｄｉｒｅｃｔｉｏｎ  Ｔｅｎｓｉｌｅ  ｓｔｒｅｎｇｔｈ）と、乾燥時の横方向の引張強さ（引張り速度３００ｍｍ／分で測定）ＤＣＤＴ（Ｄｒｙ  Ｃｒｏｓｓ  Ｄｉｒｅｃｔｉｏｎ  Ｔｅｎｓｉｌｅ  ｓｔｒｅｎｇｔｈ）の幾何平均（ＤＭＤＴ×ＤＣＤＴ）１／２で表されるＤＧＭＴ（Ｄｒｙ  Ｇｅｏｍｅｔｒｉｃ  Ｔｅｎｓｉｌｅ  ｓｔｒｅｎｇｔｈ）が１２０Ｎ／２５ｍｍ以上２５０Ｎ／２５ｍｍ以下であることが好ましく、１４０Ｎ／２５ｍｍ以上２４０Ｎ／２５ｍｍ以下であることがより好ましく、１６０Ｎ／２５ｍｍ以上２３０Ｎ／２５ｍｍ以下であることが更に好ましい。ローションティッシュペーパーのＤＧＭＴが上記の範囲内のものであることにより、ローションティッシュペーパーの強度や、柔らかさが、バランス良く良好に維持される。なお、一般的には、坪量を上記の範囲内のものとし、原紙の強度や薬液の塗布量を調整することにより、上記のＤＧＭＴが調整される。
【００２１】
［比容積］
本発明のローションティッシュペーパーの比容積は、１組当り３．０ｃｍ３／ｇ以上６．０ｃｍ３／ｇ以下であることが好ましく、３．３ｃｍ３／ｇ以上５．５ｃｍ３／ｇ以下であることがより好ましく、３．６ｃｍ３／ｇ以上５．０ｃｍ３／ｇ以下であることが更に好ましい。ローションティッシュペーパーの比容積を上記の範囲内のものとすることにより、ふんわり感、柔らかさ、嵩高さがバランスよく維持され、滑らかさが良好なものとなる。比容積は、例えば、坪量や紙厚を調整することにより、調整することができる。
【００２２】
［カートン取り出し口、スリット幅］
本発明のローションティッシュペーパーを収納するカートンの取り出し口は、長手方向の寸法が、１００ｍｍ以上１２６ｍｍ以下であることが好ましい。また、取り出し口に貼るフィルムのスリット幅は、９０ｍｍ以上１１４ｍｍ以下であることが好ましい。ローションティッシュペーパーを収納するカートンの取り出し口を上記範囲内とし、上記のＤ（剛性、しっかり感）を上記範囲内のものとすることにより、カートンから紙を取り出した際、次の紙がしっかり紙が立ち、美観性、取り出し性に優れる。例えば、取り出し口、スリット幅が上記範囲を超えて大きすぎると、次の紙が立たない、滑って下に落ちてしまう等の弊害があり、逆に小さすぎると、紙を取り出した際に破れやすい等の弊害がある。
【００２３】
［ティッシュペーパー原料］
ローションティッシュペーパーを構成する２プライのシートは、パルプを主成分とするものであり、好ましくは、５０質量％以上のパルプを含有する。ローションティッシュペーパーの製造に使用できるパルプとしては、木材パルプ、古紙パルプ、非木材パルプが挙げられるが、本発明のローションティッシュペーパーは、パルプとして木材パルプ１００％から成るものであってもよく、木材パルプの他に、古紙パルプや非木材パルプを含んでいてもよい。パルプ以外の成分としては、填料、合成繊維、天然繊維等を挙げることができる。目標とする品質を得るためには、針葉樹晒クラフトパルプ（ＮＢＫＰ）２０質量％以上５０質量％以下と広葉樹晒クラフトパルプ（ＬＢＫＰ）５０質量％以上８０質量％以下とからなる木材パルプを原料とすることが好ましく、ＮＢＫＰ：２５質量％以上４５質量％以下と、ＬＢＫＰ：５５質量％以上７５質量％以下とからなる木材パルプを原料とすることがより好ましい。
【００２４】
上記ＬＢＫＰの材種としては、ユーカリ属グランディス及びユーカリグロビュラスに代表される、フトモモ科ユーカリ属から製造されるパルプが好ましい。また、上記のパルプ比率の木材パルプ１００質量部に対し、古紙パルプを５０質量部程度まで含有させてもよい。古紙パルプは品質のバラツキが大きく、配合割合が増えると製品の品質、特に柔らかさに大きく影響するため、木材パルプに対する配合量を２０質量部以下とすることが好ましく、１０質量部以下とすることがより好ましく、５質量部以下とすることが更に好ましく、古紙パルプを配合しないことが最も好ましい。
【００２５】
なお、ローションティッシュペーパーに適正な強度を確保するため、通常の手段で原料配合した後、パルプ繊維の叩解処理にて強度調整を行うことができる。目標の品質を得るための叩解処理としては、市販のバージンパルプに対して、ＪＩＳ  Ｐ  ８１２１で測定されるフリーネス（カナダ標準ろ水度）の変化量ΔＦで２０ｍＬ以上２００ｍＬ以下、より好ましくは５０ｍＬ以上１２０ｍＬ以下となるよう、ろ水度を低減させることが好ましい。なお、乾燥紙力増強剤を使用してもよく、湿潤紙力増強剤を使用することが好ましい。
【００２６】
［薬液］
本発明のローションティッシュペーパーは、薬液を含有している。薬液としては、水性成分と油性成分とを含むものであり、さらに、水を含んでいることが好ましい。
【００２７】
（水性成分）
水性成分としては、多価アルコール（２価以上の水酸基を有するアルコール）を挙げることができる。より具体的には、グリセリン、ジグリセリン、エチレングリコール、プロピレングリコール、１，３−ブチレングリコール、ポリグリセリン、ポリエチレングリコール、ポリプロピレングリコール、ソルビトール、キシリトール、エリスリトール等を挙げることができる。薬液中の多価アルコールの有効成分の割合は、７２質量％以上９２質量％以下であることが好ましく、７６質量％以上８７質量％以下であることがより好ましく、７９質量％以上８４質量％以下であることが更に好ましい。薬液中の多価アルコールの含有量を調整することにより、ローションティッシュペーパーのしっとり感が良好なものとなる。なお、上記の多価アルコールは、１種類を配合しても、２種類以上配合してもよい。薬液中の多価アルコールとしては、風合いに優れるグリセリンの含有量（水分を除く）が、薬液全体に対して５０質量％以上であることが好ましく、６５質量％以上であることがより好ましく、８０質量％以上であることが更に好ましい。
【００２８】
（油性成分）
油性成分としては、各種シリコーン油、流動パラフィン、鉱物油、ワックス等を挙げることができる。これらの成分は、１種類を配合しても、２種類以上配合してもよい。本発明においては、ローションティッシュペーパー中の油性成分の含有量が０．０３質量％以上０．５０質量％以下であることが好ましく、０．１０質量％以上０．３２質量％以下であることがより好ましく、０．１９質量％以上０．２８質量％以下であることが更に好ましい。これにより、ローションティッシュペーパーの滑らかさを効果的に向上させつつ、滑らかさを向上させすぎることによる加工適性の低下も効果的に防止することができる。本発明においては、特に、この油性成分がシリコーン油及び／又はシアバターであることが好ましく、シリコーン油であることがより好ましく、アミノ変性シリコーン油であることが更に好ましい。この場合、ローションティッシュ中の、このシリコーン油（アミノ変性シリコーン油）及び／又はシアバターの含有量が、上記の含有量であることが好ましい。薬液中のシリコーン油及び／又はシアバターの配合量は、０．３質量％以上３．０質量％以下であることが好ましく、０．６質量％以上２．５質量％以下であることがより好ましく、０．９質量％以上２．０質量％以下であることが更に好ましい。これにより、薬液の特性を劣化させることなく、ローションティッシュの滑らかさを効果的に向上させることができる。
【００２９】
（薬液の粘度）
薬液の粘度は、塗布ムラや塗布ロールへのウェブの付着などのトラブルを避ける観点から、回転数６０ｒｐｍにおけるＢ型粘度が１０ｍＰａ・ｓ以上１００ｍＰａ・ｓ以下となることが好ましく、１５ｍＰａ・ｓ以上６０ｍＰａ・ｓ以下となることがより好ましく、２０ｍＰａ・ｓ以上４０ｍＰａ・ｓ以下となることが更に好ましい。なお、Ｂ型粘度は、東機産業社製粘度計を用いて液温が４０℃の条件下で測定する。Ｂ型粘度が上記の範囲内のものであることにより、薬液の塗布量のコントロールを良好なものとすることができるとともに、操業性も良好に維持される。
【００３０】
（薬剤含有量）
本発明のローションティッシュペーパー中の薬剤含有量は、５質量％以上２０質量％以下であることが好ましく、７質量％以上１８質量％以下であることがより好ましく、９質量％以上１６質量％以下であることが更に好ましい。ここで、「薬液」は水分を含むため、「薬剤含有量」は薬液中の水分を除く成分の、ローションティッシュペーパー中の含有量に相当する。
【００３１】
薬剤含有量は、ＪＩＳ  Ｐ  ８１１１（１９９８）条件下において調湿させた所定質量のティッシュペーパー製品を分母（Ａ）（ｇ）とし、所定質量のティッシュペーパー製品中に含まれる薬液中の水分を除いた質量（Ｂ）（ｇ）を分子として、（Ｂ）を（Ａ）で除した比率を（％）で表す。なお、（Ｂ）の算出は、例えばローションティッシュペーパーをアセトン／エタノール抽出することにより、定量することができる。
（薬剤含有量）＝（Ｂ）÷（Ａ）×１００（％）
【００３２】
薬剤含有量を上記の範囲内のものとすることにより、ローションティッシュペーパーの柔らかさ、滑らかさ及びしっとり感が良好なものとなるとともに、シワの発生や、ロータリー式インターフォルダ、マルチスタンド式インターフォルダ内での断紙等が防止されて、加工適性が良好に維持される。
【００３３】
＜ローションティッシュの製造方法＞
２プライのシートからなるローションティッシュを製造する場合、抄紙機から得られる原紙ロールをプライマシンにより２プライに積層して巻き取り、その後、巻き取った２プライ原紙ロールに対して薬液をオフラインの薬液塗布装置により塗布することができる。なお、カレンダー処理はプライマシンで２プライに積層後に施すことが好ましい。薬液が塗布された原紙ロールは公知のインターファルダにより、各シートを中央でＶ字折りし、それぞれの側端部を掛け合わせながら交互に積層してポップアップ式に取出し可能なティッシュペーパー積層体を構成することができ、ポップアップ式に取出し可能であれば他の公知の折り方（例えばＺ字折り）としてもよい。
【００３４】
ティッシュペーパー積層体を構成するために用いるインターフォルダとしては、マルチスタンド式インターフォルダ、ロータリー式インターフォルダ、が例示できる。
【００３５】
なお、カレンダー処理の前後での原紙の紙厚の変化量Δｔは、０．０８ｍｍ／１０枚以上０．２５ｍｍ／１０枚以下であることが好ましく、０．１０ｍｍ／１０枚以上０．２２ｍｍ／１０枚以下であることがより好ましい。Δｔの値を調整することにより、カレンダー処理後の紙厚及び製品の紙厚を良好に調整することができるとともに、柔らかさやボリューム感が良好に保たれる。
【実施例】
【００３６】
以下、本発明について実施例を挙げて詳細に説明する。なお、本発明は、以下に示す実施例に何ら限定されるものではない。
【００３７】
＜実施例１から１３、比較例１から８＞
木材パルプとして、表１及び表２に示すパルプ組成（質量％）の、ＮＢＫＰとＬＢＫＰから、表１及び表２に示す特性を有する原紙を抄紙した。この原紙を紙厚の変化量Δｔが、実施例については、０．１０から０．２２ｍｍ/１０枚以下、比較例については、０．０８ｍｍ／１０枚以上０．２５ｍｍ／１０枚以下となるように、カレンダー処理を施した。カレンダー処理後の原紙の特性を表３及び表４に示す。次に、この原紙に対して、表３及び表４に示すローション薬液をグラビア塗布装置にてオフライン塗布し、次いでマルチスタンド式インターフォルダにて、ローションティッシュペーパーの積層体を形成した。なお、表３及び表４中、多価アルコールはグリセリンであり、油性成分は、アミノ変性シリコーン油とシアバターの混合物である。得られたローションティッシュペーパーについて、ＴＳ７、ＴＳ７５０、Ｄ、紙中の油性成分の含有量、紙中の薬液含有量を計測するとともに、使用感、ボリューム感、しっとり感、柔らかさ、加工適性（断紙）、滑らかさ、加工適性（すべり）、しっかり感（カートンからローションティッシュペーパーを取り出した際の、次のローションティッシュペーパーの立ち具合）について５段階評価を行った。
【００３８】
シートの坪量：ＪＩＳ  Ｐ  ８１２４に基づいて測定し、シート１枚当たりに換算した。
紙厚：シックネスゲージ（尾崎製作所製のダイヤルシックネスゲージ「ＰＥＡＣＯＣＫ」）を用いて測定した。測定条件は、測定荷重２５０ｇｆ、測定子直径３０ｍｍで、測定子と測定台の間に試料を置き、測定子を１秒間に１ｍｍ  以下の速度で下ろしたときのゲージを読み取った。なお、１回の測定は試料を１０枚重ねて行い、測定を１０回繰り返して測定結果を平均した。
なお、坪量、紙厚の測定は、ＪＩＳ  Ｐ  ８１１１に規定する温湿度条件下（２３±１℃、５０±２％ＲＨ）で平衡状態に保持した後に行った。また、表１及び表２の坪量及び紙厚は、カレンダー処理前後の原紙のものであり、表３及び表４の坪量及び紙厚は、薬液を塗布したものである。
【００３９】
モニター２０人による以下の官能評価を行った。
使用感：カートンから取り出したティシュペーパーを展開して使用（鼻をかむ、汚れをふき取る等）した時の、使用感（紙のごわつき、水分の浸透等）を総合的に評価した。
ボリューム感：カートンから取り出したティッシュペーパーを展開して手に持ったときのボリューム感、及び、製品の紙厚を評価した。
しっとり感：カートンから取り出したティッシュペーパーを展開して手に持ったときのしっとり感を評価した。
柔らかさ：カートンから取り出したティッシュペーパーを展開して手に持ったときの柔らかさを評価した。
加工適性（断紙）：薬液塗布したティシュペーパーを、マルチスタンド式インターフォルダで加工する際の、断紙による、生産性の低下度合を評価した。
滑らかさ：カートンから取り出したティシュペーパーを展開して使用（鼻をかむ）した時の、ティシュが肌に触れる滑らかさを評価した。
加工適性（すべり）：薬液塗布したティシュペーパーを、マルチスタンド式インターフォルダで加工する際の、ティッシュクリップ（ティッシュ連続積層体）の生産ラインからの滑りズレ等による、生産性の低下度合を評価した。
しっかり感：カートンからティッシュペーパーを取り出した際の、次のティッシュペーパーの立ち具合を評価した。
評価は、従来品と同等なものを「３」とし、これよりやや優れているを「４」、優れているを「５」とした。同様に、「３」より劣っているを「２」、著しく劣っているを「１」とした。評価が３から５であれば問題ない。
【００４０】
【表１】
2018033751.tif 000002
【表２】
2018033751.tif 000003
【表３】
2018033751.tif 000004
【表４】
2018033751.tif 000005
【００４１】
表３及び表４より、本発明によれば、滑らかさ、しっとり感、柔らかさ、ボリューム感、しっかり感、加工適性がいずれも良好なローションティッシュペーパーが得られたことが分かる。